(57)【要約】【課題】本発明は、突部を設けて所定の機能を発揮させるとともに、設計自由度の高いスペーサ及びその製造方法を提供する。【解決手段】内燃機関１０のシリンダブロック１に設けられ開口部４を有した冷却水流路３内に配置されるとともに、合成樹脂からなるスペーサ５であって、前記冷却水流路内に配置可能な形状とされたスペーサ本体６と、前記スペーサ本体の前記開口部側に位置する第１端部６０もしくは前記スペーサ本体の前記冷却水流路の底部側に位置する第２端部６１のいずれか一方から、前記冷却水流路の深さ方向（ｄ）に突出するように設けられた突部７と、該突部の先端部７０、前記第１端部及び前記第２端部のいずれかに設けられた射出成型時における樹脂材料の樹脂導入部８とを備えていることを特徴とする。【選択図】図１
2020067052.tif 000002
【特許請求の範囲】
【請求項１】
内燃機関のシリンダブロックに設けられ開口部を有した冷却水流路内に配置されるとともに、合成樹脂からなるスペーサであって、
前記冷却水流路内に配置可能な形状とされたスペーサ本体と、前記スペーサ本体の前記開口部側に位置する第１端部もしくは前記スペーサ本体の前記冷却水流路の底部側に位置する第２端部のいずれか一方から、前記冷却水流路の深さ方向に突出するように設けられた突部と、該突部の先端部、前記第１端部及び前記第２端部のいずれかに設けられた射出成型時における樹脂材料の樹脂導入部とを備えていることを特徴とするスペーサ。
【請求項２】
請求項１において、
前記樹脂導入部は前記冷却水流路の深さ方向に突出した突状部とされ、
前記突状部は、前記突状部が収まるように形成された凹部内に設けられていることを特徴とするスペーサ。
【請求項３】
請求項２において、
前記凹部の凹み量は、前記突状部の突出量よりも大きいことを特徴とするスペーサ
【請求項４】
請求項２又は請求項３において、
前記凹部は、前記冷却水流路の深さ方向にのみ開口部を有していることを特徴とするスペーサ。
【請求項５】
請求項１〜 ４のいずれか１項において、
前記スペーサ本体は、前記シリンダブロックに設けられた複数のシリンダボアのそれぞれに対応する複数の円弧部と、隣り合う前記円弧部を接続する接続部と、を備え、
前記突部及び前記樹脂導入部は、前記接続部に設けられていることを特徴とするスペーサ。
【請求項６】
内燃機関のシリンダブロックに設けられ開口部を有した冷却水流路内に配置されるとともに、合成樹脂からなるスペーサの製造方法であって、
前記スペーサは、前記シリンダブロックに設けられるシリンダボアに対応する円弧部を含むスペーサ本体と、前記スペーサ本体の前記開口部側に位置する第１端部もしくは前記スペーサ本体の前記冷却水流路の底部側に位置する第２端部のいずれか一方から前記冷却水流路の深さ方向に部分的に突出して設けられた突部と、前記第１端部もしくは前記第２端部のいずれか一方に設けられた射出成型時の樹脂導入部とを備え、
前記合成樹脂は、強化繊維を含む樹脂複合材であり、
前記樹脂導入部から前記樹脂複合材を導入することを特徴とするスペーサの製造方法。
【請求項７】
請求項６に記載のスペーサの製造方法において、
前記樹脂導入部は、前記冷却水流路の深さ方向において、前記突部と重なる位置に設けられていることを特徴とするスペーサの製造方法。
【発明の詳細な説明】
【技術分野】
【０００１】
本発明は、内燃機関のシリンダブロックに設けられた冷却水流路内に配置されるとともに、合成樹脂からなるスペーサ及びその製造方法に関する。
【背景技術】
【０００２】
前記内燃機関のシリンダブロックに設けられた冷却水流路は、開口部を有して形成されており、冷却水流路を流通する冷却水の流量や流速等を規制するためのスペーサが開口部から挿入されて配置される。スペーサは、合成樹脂からなり、シリンダボア壁等、加熱される部位が適正な温度になるようにその形状や厚み等が設計される。
しかし、このようなスペーサは、射出成型時に樹脂材料が供給されるゲート部位等をカットすることでできてしまう残り部が冷却水流路の内壁に向けて突状に形成されていると、冷却水の流れを阻害することが問題となる。そこでこのような残り部を取り除くための仕上げ処理を行う場合があるが、この場合は、製造工程が増えてしまう。
下記特許文献１には、冷却水流路の内壁に干渉しないように、突状の残り部が、冷却水流路の開口部側に位置するスペーサ本体部の端面に形成されたものが開示されている。また下記特許文献１には、スペーサ本体部の端面間を連結するように形成された懸架部位を離型後のスペーサの変形を防ぐために成型体の冷却時まで残すことが開示されている。
【先行技術文献】
【特許文献】
【０００３】
【特許文献１】特開２０１５−５５１７８号公報
【発明の概要】
【発明が解決しようとする課題】
【０００４】
ところで、冷却水流路に配置されるスペーサは、冷却水の流れ方向はもちろん、冷却水流路の深さ方向に振動することなく所望する位置に適正に組み付けられることが設計どおりに冷却水の流量を制御するために望ましい。しかしながら、上記特許文献１では、深さ方向の振動を抑制する突部や冷却水の流れを規制する突部についての開示はない。またスペーサによる冷却水の流量制御の要請は内燃機関の構成によって様々であるため、残り部による制約を受けることなく設計可能なスペーサが求められている。また、スペーサは、離型時に変形が生じないような剛性を備えたものが望ましいが、上記特許文献１には、スペーサの剛性向上に寄与する方策について、一切、開示がない。
【０００５】
本発明は、上記実情に鑑みなされたものであり、突部を設けて所定の機能を発揮させるとともに、設計自由度の高いスペーサ及びその製造方法を提供する。
【課題を解決するための手段】
【０００６】
本発明に係るスペーサは、内燃機関のシリンダブロックに設けられ開口部を有した冷却水流路内に配置されるとともに、合成樹脂からなるスペーサであって、前記冷却水流路内に配置可能な形状とされたスペーサ本体と、前記スペーサ本体の前記開口部側に位置する第１端部もしくは前記スペーサ本体の前記冷却水流路の底部側に位置する第２端部のいずれか一方から、前記冷却水流路の深さ方向に突出するように設けられた突部と、該突部の先端部、前記スペーサ本体の前記第１端部及び前記第２端部のいずれかに設けられた射出成型時における樹脂材料の樹脂導入部とを備えていることを特徴とする。
以上によれば、冷却水流路の深さ方向にスペーサ本体の第１端部もしくは第２端部から突出する突部を備えているので、冷却水の流れを規制したり、スペーサが冷却水流路の深さ方向に振動することを抑制する等、突部の所定の機能を発揮させることができる。また樹脂導入部が前記突部の先端部、スペーサ本体の第１端部及び第２端部のいずれかに設けられているので、樹脂導入部が冷却水流路の溝壁に接触することがなく、例えば、スペーサと冷却水流路との隙間を狭くした設計が可能となる。つまり、樹脂導入部の形成位置により受けるスペーサの形状の制約が少なくなり、スペーサの設計自由度が高まる。
【０００７】
本発明に係るスペーサの製造方法は、内燃機関のシリンダブロックに設けられ開口部を有した冷却水流路内に配置されるとともに、合成樹脂からなるスペーサの製造方法であって、前記スペーサは、前記シリンダブロックに設けられるシリンダボアに対応する円弧状部を含むスペーサ本体と、前記スペーサ本体の前記開口部側に位置する第１端部もしくは前記スペーサ本体の前記冷却水流路の底部側に位置する第２端部のいずれか一方から前記冷却水流路の深さ方向に部分的に突出して設けられた突部と、前記第１端部もしくは前記第２端部のいずれか一方に設けられた射出成型時の樹脂導入部とを備え、前記合成樹脂は、強化繊維を含む樹脂複合材であり、前記樹脂導入部から前記樹脂複合材を導入することを特徴とする。
以上によれば、樹脂導入部が突部の先端部ではなく、スペーサ本体の第１端部もしくは第２端部に形成されているため、射出された樹脂複合材は、まず円弧状部を含むスペーサ本体を形成するキャビティの周方向に広がるように流動する。よって、樹脂複合材に含まれる強化繊維が周方向に配向された状態でスペーサ本体は成形される。これにより、強化繊維の配向が改善され、強化繊維が不規則に配列された状態で成形された樹脂成形体に比べて、剛性が高く変形し難いスペーサを製造することができる。
【発明の効果】
【０００８】
本発明に係るスペーサ及びその製造方法によれば、突部を設けて所定の機能を発揮させるとともに、設計自由度の高いスペーサを得ることができる。
【図面の簡単な説明】
【０００９】
【図１】本発明の第１実施形態に係るスペーサを説明するための図であり、（ａ）は同スペーサを模式的に示す概略側面図、（ｂ）は同スペーサを模式的に示す概略断面図であり、図１（ａ）のＡ−Ａ線断面図である。
【図２】同スペーサ及び同スペーサの製造方法を説明するための図であり、同スペーサを模式的に示す概略的斜視図である。
【図３】同スペーサを説明するための図であり、同スペーサを模式的に示す概略的底面図である。
【図４】同スペーサを内燃機関の冷却水流路内に配置した状態の一例を模式的に示す概略的平面図である。
【図５】本発明の第２実施形態に係るスペーサを説明するための図であり、（ａ）は同スペーサを模式的に示す概略側面図、（ｂ）は同スペーサを模式的に示す概略断面図であり、図５（ａ）のＢ−Ｂ線断面図である。
【発明を実施するための形態】
【００１０】
以下に本発明の実施の形態について、図面に基づいて説明する。なお、一部の図では、他図に付している詳細な符号の一部を省略している。
本実施形態に係るスペーサ５は、自動車用エンジン等の内燃機関１０のシリンダブロック１に設けられた冷却水流路３内に配置され、合成樹脂からなる。スペーサ５は、冷却水流路３内に配置可能な形状とされたスペーサ本体６と、スペーサ本体６の開口部３ｆ側に位置する第１端部６０もしくはスペーサ本体６の冷却水流路３の底部３ｅ側に位置する第２端部６１のいずれか一方から突出して設けられた突部７と、突部７の先端部７０、第１端部６０及び第２端部６１のいずれかに設けられた射出成型時における樹脂材料の樹脂導入部８とを備えている。突部７は、冷却水流路３の深さ方向（ｄ）に突出して形成されている。以下、詳述する。
【００１１】
＜第１実施形態＞
図１〜図４には、第１実施形態に係るスペーサ５を示している。
スペーサ５は、図１（ｂ）に示すとおり、シリンダブロック１の冷却水流路３内に配置されている。シリンダブロック１の上面にはシリンダヘッド４、シリンダブロック１の下面にはオイルパン（不図示）がそれぞれ配され、シリンダヘッド４は、冷却水流路３の開口部３ｆが閉塞されるようにシリンダブロック１に一体に締結される。図４に示すシリンダブロック１は、３気筒の内燃機関１０を構成するものであり、複数のシリンダボア（気筒）２…が隣接した状態で直列に連なるように設けられている。シリンダブロック１の適所には、シリンダヘッド４と不図示のヘッドガスケットを介して締結させるためのボルト用挿通孔１ａが複数設けられている。複数のシリンダボア２…の周囲には、オープンデッキタイプの溝状の冷却水流路（ウォータジャケット）３が一連に形成されている。またシリンダブロック１の適所には、この冷却水流路３に通じる冷却水導入口１ｂと冷却水排出口１ｃとが設けられている。冷却水排出口１ｃは、不図示のラジエータに配管接続され、ラジエータのアウトレット側は、ウォータポンプ（不図示）を介して冷却水導入口１ｂに配管接続される。これによって、冷却水流路３とラジエータとの間で冷却水（不凍液も含む）が循環するように構成される。
【００１２】
シリンダボア２と冷却水流路３との間には、シリンダボア壁２０が形成され、冷却水流路３を挟んで向かい合う両壁面は、シリンダボア２側の内壁面３ｃと、シリンダボア２とは反対側の外壁面３ｄとにより構成される。冷却水流路３は、シリンダボア壁２０を効率よく冷却できるように形成され、図１に示すようにシリンダボア２を取り囲むよう形成された複数の円弧状部３ａと、隣接するシリンダボア２，２間部分に互いに接近して対をなすよう形成された複数のくびれ形状部３ｂとを有している。くびれ形状部３ｂの溝幅は、冷却水流路３の他の円弧状部３ａの溝幅より大きい。
【００１３】
＜スペーサ＞
スペーサ５は合成樹脂からなり、例えば、ポリエチレンやポリプロピレン、ＡＢＳ、アクリル、ポリカーボネート、ポリアミド、ポリアセタール、ポリフェニレンサルファイド、ポリエーテルエーテルケトン等の熱可塑性樹脂でもよく、例えば、フェノール樹脂やエポキシ樹脂、ポリウレタン樹脂等の熱硬化性樹脂でもよい。また、合成樹脂としては、種々の添加剤が添加されたものでもよく、また、例えば、後述するような炭素繊維やガラス繊維等の強化繊維を含む樹脂複合材でもよい。
【００１４】
スペーサ５は、シリンダボア２を取り囲むように形成された筒状のスペーサ本体６を備えている。スペーサ本体６は、図２等に示すように冷却水流路３の円弧状部３ａの形状に応じて形成された複数の円弧部６３と、隣り合う円弧部６３同士を接続する接続部６４とを備えている。複数の円弧部６３は、複数のシリンダボア２のそれぞれに対応している。また、接続部６４は、冷却水流路３のくびれ形状部３ｂの形状に応じるように形成されている。スペーサ５は、冷却水流路３内に、その開口部３ｆから挿入されて配置される。スペーサ本体６は、図１（ｂ）に示すようにスペーサ本体６の開口部３ｆ側に位置する第１端部６０と、冷却水流路３の深さ方向（ｄ）に位置する第２端部６１とを備えている。
【００１５】
スペーサ本体６の第１端部６０には、冷却水流路３の深さ方向（ｄ）に突出する突部７が複数設けられている。具体的には、突部７は、いずれも第１端部６０側に設けられ、スペーサ本体６の高さ寸法の略半分程度の寸法分、突出して形成されている。突部７は、平面視において図４に示すように略三角形状をなし、接続部６４に設けられている。この突部７は、冷却水の流れを規制するよう設けられている。例えば、冷却水流路３内を蛇行しながら流通する冷却水がくびれ形状部３ｂで、スペーサ本体６を乗り越えて幅方向に流れ、ボア側から反ボア側へ流入する等、意図しない流路が形成されないように規制している。
【００１６】
またスペーサ本体６の第１端部６０には、第１端部６０から、冷却水流路３の深さ方向（ｄ）に突出した突片部７Ａが設けられている。この突片部７Ａは、スペーサ５の長手方向のいずれか一方の円弧部６３が形成された位置に設けられ、略方形状の薄板体をなす。この突片部７Ａも突部７と同様に第１端部６０側に設けられ、スペーサ本体６の高さ寸法の略半分程度の寸法分、突出して形成されている。
突片部７Ａは、図４に示すように冷却水導入口１ｂの近傍に設けられるため、まず冷却水流路３内に導入された冷却水は円弧部６３及び突片部７Ａに当たる。突片部７Ａは、その導入時に当たった冷却水が突片部７Ａを乗り越え、ボア側に流入しないように冷却水の流れを規制している。
これら突部７及び突片部７Ａの先端部７０，７０Ａは、シリンダヘッド４に近接して配置されるので、スペーサ５に振動が加わった場合に、突部７及び突片部７Ａの先端部７０，７０Ａがシリンダヘッド４もしくはガスケット（不図示）に当接する。したがって、スペーサ５に過剰な振動が加わることを抑制することができる。
【００１７】
以上によれば、スペーサ５は、冷却水流路３の深さ方向（ｄ）に突出する突部７及び突片部７Ａを備えているので、冷却水の流れを規制したり、スペーサ５が冷却水流路３の深さ方向（ｄ）に振動することを抑制する等、突部７及び突片部７Ａの所定の機能を発揮させることができる。
【００１８】
スペーサ本体６の第２端部６１には、樹脂導入部８が設けられており、図例の樹脂導入部８は、図２等に示すようにシリンダボア２，２間に対応する位置にある接続部６４に設けられている。
樹脂導入部８は、図１（ｂ）に示すように第２端部６１から底部３ｅ側、すなわち冷却水流路３の深さ方向（ｄ）に向けて突出した突状部８ａとされ、突部７と深さ方向（ｄ）に重なる位置に設けられている。この突状部８ａは、突状部８ａが収まるように形成された凹部９内に設けられている。図例の凹部９は、スペーサ５の底面側、すなわち接続部６４における第２端部６１側に複数、凹状に形成されており、平面視において円形に形成されている。樹脂導入部８は、複数の凹部９のそれぞれに設けられている。樹脂導入部８は、この複数の凹部９の中に収まるように凹部９よりひとまわり小さい。つまり、凹部９の径は、突状部８ａの径よりも大きく、冷却水流路３の幅方向に沿ったスペーサ本体６の寸法よりも小さい。
【００１９】
以上によれば、樹脂導入部８が第２端部６１に設けられているので、成型後には不要となる樹脂導入部８が冷却水流路３の溝壁、すなわち内壁面３ｃ及び外壁面３ｄに接触することがない。よって、例えば、スペーサ５と冷却水流路３との隙間を狭くした設計が可能となる。つまり、樹脂導入部８の形成位置により受けるスペーサ５の形状の制約が少なくなり、スペーサ５の設計自由度が高まる。特に、本実施形態のスペーサ５では、樹脂導入部８を接続部６４に配しながら、例えば冷却水流路３のシリンダボア２，２間の壁面との間の距離を小さくした形状設計が可能となる。よって、スペーサ５は、シリンダボア２，２間に対応する冷却水の流量を制御することが可能になる。
また以上によれば、樹脂導入部８の突状部８ａが凹部９内に設けられているので、第２端部６１から、図１（ａ）に示すように突状部８ａが突出しないようにできる。よって、突状部８ａが冷却水流路３の底部３ｅに接触することがない。そして、樹脂導入部８を第２端部６１に配置したことによって生じる不都合を抑制できる。
【００２０】
図１（ｂ）に示すように、樹脂導入部８が設けられた凹部９の凹み量は、突状部８ａの突出量よりも大きく設定されている。また凹部９は、冷却水流路３の深さ方向（ｄ）にのみ開口部９ａを有している。
以上のように凹部９の凹み量が突状部８ａの突出量より大きく設定されていれば、突状部８ａが冷却水流路３の溝壁（内壁面３ｃ，外壁面３ｄ）だけでなく、底部３ｅとも接触することがない。よって、一層、樹脂導入部８の形成位置により受けるスペーサ５の形状の制約が少なくなり、スペーサ５の設計自由度が高まる。また凹部９の開口部９ａが深さ方向（ｄ）にのみ形成されているから、例えば冷却水が凹部９を経由して冷却水流路３の幅方向に流れる等、意図しない流路が形成されることを抑制できる。
【００２１】
＜スペーサの製造方法＞
次に図１（ｂ）及び図２等を参照しながら、スペーサ５の製造方法の一例について説明する。
スペーサ５は、合成樹脂からなり、上述した公知の合成樹脂を用いて製造することができるが、本実施形態では、強化繊維を含む樹脂複合材が好適に用いられるため、以下では強化繊維を含む樹脂複合材により製造する方法について説明する。
【００２２】
スペーサ５は、図２等に示す形状とするキャビティを備えた成形型への樹脂の射出成形により成形される。具体的には、成形型は、円弧部６３を含むスペーサ本体６を形成するキャビティと、突部７及び突片部７Ａを形成するキャビティとを備える。そして、成形型のキャビティには、不図示のスプルー及びランナー、そしてゲート１１（図２参照）を通じて樹脂が充填される。このとき、樹脂供給路となるゲート１１と接続され、供給口となるのが、第２端部６１に設けられた樹脂導入部８である。
【００２３】
強化繊維を含む樹脂複合材を用いた場合、樹脂導入部８が突部７を形成するキャビティ近傍からではなく、スペーサ本体６の第２端部６１に形成されているため、射出された樹脂複合材は、まず接続部６４を形成するキャビティに導入されるとともに、円弧部６３を形成するキャビティの周方向に広がるように流動する。よって、円弧部６３を形成するキャビティでは、樹脂複合材に含まれる強化繊維が、周方向に配向された状態でスペーサ本体６の円弧部６３が成形される。またゲート１１から射出された樹脂複合材は、方向転換することなく、ストレートに突部７を形成するキャビティに供給される。つまり、樹脂複合材に含まれる強化繊維は、射出方向に配向されるため、強化繊維が冷却水流路３の深さ方向（ｄ）（突部７の突出方向）に配向されているような状態の突部７が形成される。
図２における白抜き矢印は樹脂の流れ方向を指している。樹脂複合材は、樹脂導入部８の近傍の接続部６４から円弧部６３側に流れるとともに、樹脂導入部８の近傍の接続部６４から突部７側に流れる。樹脂複合材に含まれる強化繊維の配向状態は点線によって模式的に示されている。よって、実際には、部分的に図２に示すような強化繊維の配向がみられるわけではない。
【００２４】
そしてこれら複数設けられた樹脂導入部８からスペーサ本体６、突部７及び突片部７Ａを形成するキャビティ内に樹脂複合材が充填され、キャビティ全域に樹脂複合材が行き渡ると、保圧及び冷却工程に移行する。その後、成形型を型開きする際に、ゲート１１と樹脂複合材の供給を受ける樹脂導入部８とは分離され、スペーサ５を得ることができる。
【００２５】
以上の製造方法によれば、樹脂導入部８が突部７の先端部７０ではなく、スペーサ本体６の第２端部６１に形成されているため、射出された樹脂複合材は、円弧部６３を含むスペーサ本体６を形成するキャビティの周方向に広がるように流動する。よって、樹脂複合材に含まれる強化繊維が周方向に配向された状態でスペーサ本体６が成形される。これにより、強化繊維の配向が改善され、強化繊維が不規則に配列された状態で成形された樹脂成形体に比べて、剛性が高く変形し難いスペーサ５を製造することができる。またスペーサ５を射出成形する際に、ゲート１１から射出された樹脂複合材は、上述したように方向転換することなく、突部７を形成するキャビティに供給され易い。つまり、樹脂複合材に含まれる強化繊維は、射出方向に配向され易い。そして、強化繊維が冷却水流路３の深さ方向（ｄ）に配向されているような状態の突部７が成形される。したがって、突部７の剛性も高いスペーサ５を製造することができる。
【００２６】
＜第２実施形態＞
続いて図５を参照しながら、第２実施形態のスペーサ５Ａを説明するとともに、その製造方法について説明する。第１実施形態と共通する箇所には共通の符号を付し、共通する箇所の説明は省略もしくは簡略する。
第２実施形態に示すスペーサ５Ａは、突部７の先端部７０が、冷却水流路３の底部３ｅ側に配されている点で異なる。また、第２実施形態に示す突部７は第１実施形態に示す突部７とは異なり、スペーサ本体６に対して直角に立ち上がるように形成されている点で異なる。さらに樹脂導入部８が、第１端部６０に設けられている点でも異なり、その樹脂導入部８の突状部８ａの形状・構成も第１実施形態とは異なる。
【００２７】
スペーサ本体６の第２端部６１には、冷却水流路３の深さ方向（ｄ）に突出する突部７が複数設けられている。具体的には、突部７は、いずれも第２端部６１側に設けられ、スペーサ本体６の高さ寸法の略半分程度の寸法分、突出して形成されている。また同様にスペーサ本体６の第２端部６１には、冷却水流路３の深さ方向（ｄ）に突出する突片部７Ａが設けられている。この突片部７Ａは、スペーサ５Ａの長手方向のいずれか一方の円弧部６３が形成された位置に設けられ、略方形状の薄板体をなす。この突片部７Ａも突部７と同様に第２端部６１側に設けられ、スペーサ本体６の高さ寸法の略半分程度の寸法分、突出して形成されている。
これら突部７及び突片部７Ａの先端部７０，７０Ａは、底部３ｅ側に配置される。スペーサ５に振動が加わった場合には、突部７と重なる位置に形成された第１端部６０がシリンダヘッド４もしくはガスケット（不図示）に当接して、スペーサ５に過剰な振動が加わることを抑制することができる。
【００２８】
以上によれば、スペーサ本体６の第２端部６１に突部７及び突片部７Ａが設けられているので、冷却水の流れを規制したり、スペーサ５が冷却水流路３の深さ方向（ｄ）に振動することを抑制する等、突部７及び突片部７Ａの所定の機能を発揮させることができる。
【００２９】
スペーサ本体６の第１端部６０には、樹脂導入部８が設けられており、図例の樹脂導入部８は、図５（ａ）及び図５（ｂ）に示すようにシリンダボア２，２間に対応する位置にある接続部６４に設けられている。
この場合、樹脂導入部８を接続部６４に配しながら、例えば冷却水流路３のシリンダボア２，２間の壁面との間の距離を小さくした形状設計が可能となる。よって、シリンダボア２，２間に対応する冷却水の流量を制御することが可能なスペーサ５にする等、設計自由度が高まる。
【００３０】
樹脂導入部８は、図５（ｂ）に示すように第１端部６０から開口部３ｆ側、すなわち冷却水流路３の深さ方向（ｄ）に向けて突出した突状部８ａである。樹脂導入部８は、突部７と深さ方向（ｄ）に重なる位置に設けられている。この突状部８ａは、突状部８ａが収まるように形成された凹部９内に設けられている。図例の凹部９は、図５（ｂ）に示すようにスペーサ５の天面側、すなわち接続部６４における第１端部６０側に複数、凹状に形成されており、平面視において円形状に形成されている。この複数の凹部９の中に収まるように凹部９よりひとまわり小さく、突状部８ａをなす樹脂導入部８が複数設けられている。
【００３１】
以上によれば、樹脂導入部８が第２端部６１に設けられているので、成型後には不要となる樹脂導入部８が冷却水流路３の溝壁（内壁面３ｃ、外壁面３ｄ）に接触することがない点は第１実施形態と同様である。また以上によれば、樹脂導入部８の突状部８ａが凹部９内に設けられているので、第１端部６０から、図５（ａ）に示すように突状部８ａが突出しないようにできる。よって、突状部８ａのみが突出してシリンダヘッド４やガスケット（不図示）に接触することがない。そして、樹脂導入部８を第１端部６０に配置したことによって生じる不都合を抑制できる。
【００３２】
図５（ｂ）に示すように、樹脂導入部８が設けられた凹部９の凹み量は、突状部８ａの突出量とほぼ等しく設定されている。凹部９が、冷却水流路３の深さ方向（ｄ）にのみ開口部９ａを有している点は第１実施形態と同様である。
以上のように凹部９の凹み量が突状部８ａの突出量よりほぼ等しく設定されていれば、突状部８ａが上述したようにシリンダヘッド４等と接触することがない。よって、一層、樹脂導入部８の形成位置により受けるスペーサ５の形状の制約が少なくなり、スペーサ５の設計自由度が高まる。また凹部９の開口部９ａが深さ方向（ｄ）にのみ形成されているから、例えば冷却水が凹部９を経由して冷却水流路３の幅方向に流れる等、意図しない流路が形成されることを抑制できることは第１実施形態と同様である。
【００３３】
＜スペーサの製造方法＞
スペーサ５Ａの製造方法は、樹脂導入部８が突部７の先端部７０ではなく、スペーサ本体６の第１端部６０に形成されているため、射出された樹脂複合材が第１端部６０側から導入される点が異なるが、円弧部６３を含むスペーサ本体６を形成するキャビティの周方向に広がるように流動する点、樹脂複合材に含まれる強化繊維が周方向に配向された状態でスペーサ本体６が成形される点等、基本的には第１実施形態での説明と同様である。またスペーサ５Ａを射出成形する際に、ゲート１１から射出された樹脂複合材は、方向転換することなく、突部７を形成するキャビティに供給され易い点も第１実施形態と同様であるので、説明を割愛する。
【００３４】
なお、スペーサ５の構成、形状、スペーサ５の製造方法は、上述の実施形態に限定されるものではない。例えば、スペーサ５を構成するスペーサ本体６の円弧部６３の形状は、冷却水流路３内を流通する冷却水の冷却機能等、求められる仕様に応じて適宜変更される。例えば、円弧部６３は、深さ方向（ｄ）の寸法が一定の形状でなくともよく、例えば、接続部６４から離れる程、徐々に寸法が小さくなるような形状であってもよく、また凹部９、突状部８ａの形状、構成も図例に限定されない。例えば凹部９は平面視において円形に限定されず、方形でもよい。また、突状部８ａは、凹部９内に収まっていなくともよい。例えば、突状部８ａが冷却水流路３の底部３ｅやシリンダヘッド４又はシリンダヘッドガスケットに干渉しても、スペーサ５の機能が保証できる範囲であれば、突状部８ａが凹部９からはみ出していてもよい。樹脂導入部８は、ゲート残り部でなくともよい。つまり、ゲートとは別に、スペーサの変形を防ぐために形状を保持する架橋部を設けた場合には、樹脂導入部８は、架橋部を除去した後に残る箇所となる。また、樹脂導入部８は、冷却水流路３の深さ方向（ｄ）において、突部７と重なる位置でなくともよく、樹脂導入部８が円弧部６３に対応する箇所に設けられていてもよい。また、突部７は、方形に限らない。突部７は、正面視台形状、略三角形状等、種々の形状に変更してもよい。
【００３５】
スペーサ５の形状は、実施形態では、冷却水流路３の全周に及ぶ筒状のものについて説明したが、半筒状（半割状）でもよいし、部分的に設けられるものでもよい。図示していないが、半割状より小さな部分スペーサに適用する場合は、冷却水流路３内の一か所に配置してもよいし、複数箇所に配置してもよく、配置する部分スペーサの数は、冷却水流路３内のスペースや求められる仕様等に応じて適宜設定してもよい。スペーサ本体６の寸法や形状は、求められる性能に応じて適宜変更してもよい。例えば、冷却水流路３の深さ方向におけるスペーサ本体６の寸法を、冷却水流路３の深さの半分以下としてもよいし、冷却水流路３の深さ方向における突部７の寸法より小さくてもよい。さらに図示していないが、樹脂導入部８は、第１端部６０、第２端部６１に限らず、突部７の先端部７０に設けられた場合でも上述と同様の効果を奏する。またスペーサ５が適用される内燃機関として、３気筒の内燃機関を例示したが、これに限らず他の気筒数の内燃機関にも適用可能である。さらにシリンダヘッド４にも冷却水流路が設けられる場合は、シリンダブロック１の冷却水流路３と、シリンダヘッドの冷却水流路とが連通するよう構成される。この場合は、シリンダブロック１には、冷却水排出口１ｃがなくても良く、シリンダヘッド側に冷却水排出口が設けられ、これにラジエータに通じる配管が接続される。またオープンデッキタイプだけでなく、冷却水流路の開口部が部分的に閉塞されたクローズドデッキタイプにも適用可能である。またスペーサ５，５Ａの製造方法についても上述の実施形態では、強化繊維を含んだ樹脂複合材で製造成形される例について説明したが、汎用の合成樹脂であってもよいことは言うまでもなく、製造工程も上述に限定されない。
【符号の説明】
【００３６】
１０                    内燃機関
１                      シリンダブロック
３                      冷却水流路
５，５Ａ                スペーサ
６                      スペーサ本体
６０                    第１端部
６１                    第２端部
７，７Ａ                突部
７０                    先端部
８                      樹脂導入部
ｄ                      深さ方向
【図１】
2020067052.tif 000003
【図２】
2020067052.tif 000004
【図３】
2020067052.tif 000005
【図４】
2020067052.tif 000006
【図５】
2020067052.tif 000007